(57)【要約】【課題】  低挿入力により雄タブを挿入するとともに確実に雄タブを保持できる雌端子を提供する。【解決手段】  雄タブ５０を雌端子１０の箱部１１内部に挿入すると、雄タブ５０は始めは離れていた挟持片２０により箱部１１の内壁１２ａに向かって付勢されて導通する。このとき、雄タブ５０の先端５１が挟持片２０の挿入方向奥側に設けられている作用部２３を押圧し、挟持片２０に設けられている支点２２を搬入方向手前側へ移動させながら、挟持片２０の端子接触部２１を箱部１１の内側へ移動させることにより付勢するので、低挿入力により雄タブ５０を挿入するとともに確実に雄タブ５０を保持できる。【選択図】  図１
2005228555.tif 000002
【特許請求の範囲】
【請求項１】
帯状の雄タブを収容可能な箱部と、前記箱部の内壁に向かって付勢することにより、前記雄タブを厚み方向に沿って前記内壁との間に挟持する挟持片とを備えた雌端子であって、
前記挟持片が、前記箱部における前記雄タブの挿入方向手前側において支持されて挿入方向奥側に延設されているとともに、前記箱部の内側に突出して雄タブに接触可能な端子接触部を有し、前記端子接触部の挿入方向奥側に前記箱部に対してスライド可能な支点を有し、挿入された前記雄タブの先端で挿入方向内側に押圧することにより前記端子接触部を前記箱部の雄タブ接触側に移動させる作用部を有することを特徴とする雌端子。
【請求項２】
前記作用部に、前記挟持片の幅方向外側に突出する支持部を設け、
前記箱部に、挿入された前記雄タブが前記作用部を搬入方向に押圧した際に、前記支点を搬入方向手前側へ移動させるとともに前記端子接触部を前記箱部の雄タブ接触側に移動させるべく前記支持部を誘導する誘導路を設けたことを特徴とする請求項１に記載した雌端子。
【請求項３】
前記誘導路が、前記支持部を略円弧状に誘導する弧面を有することを特徴とする請求項２に記載した雌端子。
【発明の詳細な説明】
【技術分野】
【０００１】
本発明は雌端子に係り、例えば帯状の雄タブを挟持することにより導通を行う雌端子に関する。
【背景技術】
【０００２】
従来より、図８に示すような雌端子１００が知られている（例えば特許文献１参照）。
すなわち、この雌端子１００は、ボックス状部１１０とワイヤ接続部１３０を有する。ボックス状部１１０は上壁１１１、底壁１１３、両側壁１１４を有しており、上壁１１１の内面には挿入方向に沿って突条１１２が設けられている。
ボックス状部１１０内には、底壁１１３の前端に一端（固定端１２１）が固定され、他端に接点１２２が形成された片持ち梁状の弾性接触片１２０を有しており、この弾性接触片１２０の中央部には別の接点１２３を有している。この弾性接触片１２０の接点１２２または自由端から固定端１２１側へ離れた位置の側壁１１４には、例えば切起し形成された突起１１５を有する。
【０００３】
従って、図９（Ａ）に示すように、雌端子１００に雄タブ１４０が挿入されると、雄タブ１４０は突条１１２と接点１２３との間で挟持される。
図９（Ｂ）に示すように、雄タブ１４０がボックス状部１１０内に十分挿入されると、弾性接触片１２０の自由端の接点１２２が雄タブ１４０により押し下げられる。また、接点１２２と雄タブ１４０の底面との係合により、弾性接触片１２０は突起１１５を支点として梃子のように作用する。
これにより、弾性接触片１２０の接点１２３が上方へ曲げられて雄タブ１４０の底面を押圧する。
【特許文献１】特開平６−２２３６６５号公報（図１）
【発明の開示】
【発明が解決しようとする課題】
【０００４】
ところで、このような雌端子１００においては、雄タブ１４０を挿入する際の挿入力は、接点１２２を変位させることにより接点１２３を雄タブ１４０の下面に押し付ける力である。
しかしながら、支点１１５と接点１２２との間の距離が小さいため、接点１２２を変位させることにより接点１２３を雄タブ１４０の下面に押し付けるには相当の力が要求されるため雄タブ１４０を挿入する挿入力が大きくなるという不都合が合った。
【０００５】
本発明は、前述した問題点に鑑みてなされたものであり、その目的は、低挿入力により雄タブを挿入するとともに確実に雄タブを保持できる雌端子を提供することにある。
【課題を解決するための手段】
【０００６】
１）前述した目的を達成するために、本発明にかかる雌端子は、帯状の雄タブを収容可能な箱部と、前記箱部の内壁に向かって付勢することにより、前記雄タブを厚み方向に沿って前記内壁との間に挟持する挟持片とを備えた雌端子であって、前記挟持片が、前記箱部における前記雄タブの挿入方向手前側において支持されて挿入方向奥側に延設されているとともに、前記箱部の内側に突出して雄タブに接触可能な端子接触部を有し、前記端子接触部の挿入方向奥側に前記箱部に対してスライド可能な支点を有し、挿入された前記雄タブの先端で挿入方向内側に押圧することにより前記端子接触部を前記箱部の雄タブ接触側に移動させる作用部を有することを特徴としている。
【０００７】
このように構成された雌端子においては、雄タブを雌端子の箱部内部に挿入すると、雄タブは挟持片により箱部の内壁に向かって付勢されて導通する。
このとき、雄タブの先端が挟持片の挿入方向奥側に設けられている作用部を押圧し、挟持片に設けられている支点を搬入方向手前側へ移動させながら、挟持片の端子接触部を箱部の雄タブ接触側へ移動させることにより付勢するので、低挿入力により雄タブを挿入するとともに確実に雄タブを保持できる。
【０００８】
２）また、本発明にかかる雌端子は、前記作用部に、前記挟持片の幅方向外側に突出する支持部を設け、前記箱部に、挿入された前記雄タブが前記作用部を搬入方向に押圧した際に、前記支点を搬入方向手前側へ移動させるとともに前記端子接触部を前記箱部の雄タブ接触側に移動させるべく前記支持部を誘導する誘導路を設けたことを特徴としている。
【０００９】
このように構成された雌端子においては、作用部を押圧して移動させると、挟持片の幅方向外側に突出して設けられている支持部が箱部に設けられている誘導路に沿って移動することにより、支点を搬入方向手前側へ移動させるとともに端子接触部を箱部の雄タブ接触側に移動させる。
これにより、端子接触部を箱部の内壁に向かって付勢して挿入された雄タブを押圧して導通する。このため、低挿入力により雄タブを挿入するとともに確実に雄タブを保持できる。
【００１０】
３）また、本発明にかかる雌端子は、前記誘導路が、前記支持部を略円弧状に誘導する弧面を有することを特徴としている。
【００１１】
このように構成された雌端子においては、作用部を押圧して移動させると、挟持片の幅方向外側に突出して設けられている支持部が箱部に設けられている誘導路に沿って略円弧状に移動するので、支点を搬入方向手前側へ移動させるとともに端子接触部を箱部の雄タブ接触側に移動させることができる。
【発明の効果】
【００１２】
本発明によれば、従来のような大きな挿入力が必要となるという問題を解消でき、これにより低挿入力により雄タブを挿入するとともに確実に雄タブを保持できるという効果が得られる。
【発明を実施するための最良の形態】
【００１３】
以下、本発明に係る実施形態を図面に基づいて詳細に説明する。図１は本発明の実施形態にかかる雌端子を示す断面図であり図３中Ｉ−Ｉ位置の断面図、図２は図１中II−II位置の断面図、図３は図１中III方向から見た端面図、図４は図３中IV−IV位置で切断した斜視図、図５（Ａ）〜（Ｃ）は切欠における支持部の移動状態を示す説明図、図６は雌端子の展開図、図７（Ａ）〜（Ｃ）は雄タブを挟持する状態を示す説明図である。
【００１４】
図１〜図４に示すように、本発明の実施形態である雌端子１０は、帯状の雄タブ５０（図７参照）を収容可能な箱部１１と、箱部１１の内壁である底板１２の内壁１２ａに向かって付勢することにより、雄タブ５０を厚み方向に沿って内壁１２ａとの間に挟持する挟持片２０とを備えている。
箱部１１の挿入方向手前側（図１において左側）端面には雄タブ５０を挿入するための開口１１ａが設けられている。底板１２には、挿入された雄タブ５０を下側から支持して導通するための第１の雄タブ受け１５ａ、および第２の雄タブ受け１５ｂが、切起しによって箱部１１の内部に突出するように挿入方向に沿って所定の間隔で設けられている。
【００１５】
挟持片２０は、箱部１１における雄タブ５０の挿入方向手前側において天板１３の内面１３ａに支持されていて、搬入方向奥側（図１において右側）に延びて設けられている。
挟持片２０の搬入方向の中央部分は曲げ降ろされて端子接触部２１が形成されており、端子接触部２１の搬入方向奥側は曲げ上げられて箱部に対してスライド可能な支点２２が形成されている。
さらに、支点２２の搬入方向奥側は曲げ降ろされて、作用部２３が形成されている。この作用部２３は、挿入された雄タブ５０の先端５１で挿入方向内側に押圧することにより支点２２を搬入方向手前側へスライドさせるとともに、端子接触部２１を箱部１１の内部に下降させるものである。
【００１６】
作用部２３においては、挟持片２０の幅方向外側に突出する支持部２４が設けられている。
一方、箱部１１の左右の側壁１４Ｌ、１４Ｒには、挿入された雄タブ５０の先端５１が挟持片２０の作用部２３を押圧して移動させた際に、支持部２４の移動を誘導するための誘導路としての切欠１６が設けられている。
従って、支持部２４は、切欠１６から脱落することなく切欠１６の中を移動可能となっている。
【００１７】
図５に示すように、この切欠１６は略円または縦長の楕円の四分の一の形状をしており、例えば楕円の右下部分の弧面１６ａを有している。
従って、図５（Ａ）の状態で作用部２３を雄タブ５０によって押圧すると（図１中矢印Ａ参照）、図５（Ｂ）に示すように作用部２３の支持部２４は搬入方向奥側（図５において右側）へ移動する。
しかし、支持部２４が弧面１６ａに当接するので、図５（Ｃ）に示すように、弧面１６ａに沿って上方（図５において上側）へ移動することになる（図１中矢印Ａ）。
【００１８】
図６に示すように、雌端子１０は１枚の金属板４０の切断加工および曲げ加工等によって作成できる。
まず、挟持片２０に相当する部分４１ａの搬入方向手前側端部に、挟持片２０を天板１３に固定するための固定部２５を全幅で残すとともに、搬入方向奥側に支持部２４に相当する部分を全幅にわたって残し、他の部分を一定幅で説産する。
そして、固定部２５以外を金属板４０から切り離して挟持片２０を形成する。次に、箱部１１の左側壁１４Ｌに相当する部分４１ｂと右側壁１４Ｒに相当する部分４１ｄに四分の一楕円状の切欠１６を設ける。
【００１９】
また、底板１２に相当する部分４１ｃの搬入方向手前側端部に一対の切込み４２を設けて内側（図６中紙面直角方向上側）に押出して第１の雄タブ受け１５ａを形成するとともに、搬入方向奥側に一対の切込み４３を設けて内側に押出して第２の雄タブ受け１５ｂを形成する。
さらに、箱部１１の天板１３に相当する部分４１ｅを設ける。最後に、挟持片２０に相当する部分４１ａを図１に示したように湾曲させて端子接触部２１、支点２２、作用部２３を形成する。
そして、挟持片２０に相当する部分４１ａを内側にして角筒状に折り曲げて、天板１３に相当する部分４１ｅを挟持片２０に相当する部分４１ａの上に重ねて箱部１１を形成する。なお、金属板４０を角筒状に折り曲げる際に、左右両側の支持部２４が切欠１６の中に納まるようにする。
【００２０】
次に、雄タブ５０を箱部１１に挿入して導通を図る工程について説明する。図７（Ａ）に示すように、雄タブ５０を雌端子１０の開口１１ａから箱部１１内部に挿入すると、挟持片２０の端子接触部２１と底板１２の第１の雄タブ受け１５ａとの間の間隔Ｄ０が雄タブ５０の厚さＴよりも大きいので、雄タブ５０はスムーズに箱部１１に挿入される。
なお、雄タブ５０が挿入されない状態では、挟持片２０の作用部２３の先端２３ａは、少なくとも第２雄タブ受け１５ｂの上面よりも底板１２寄り、あるいは底板１２上に位置している。これにより、雄タブ５０が挿入されると、図７（Ｂ）に示すように、雄タブ５０の先端５１が挟持片２０の作用部２３に当接する。雄タブ５０の先端５１は作用部２３に当接することになる。
【００２１】
さらに雄タブ５０を挿入すると、図７（Ｃ）に示すように、作用部２３を前方に押し上げる（図１中矢印Ａ）。
これにより、作用部２３の支持部２４が切欠１６の弧面１６ａに沿って図１中矢印Ｂ方向に移動すると（図５（Ｂ）参照）、支持部２４は搬入方向奥側への移動が弧面１６ａにより規制されるので、その反作用により支点２２が搬入方向手前側（図１中矢印Ｃ）へスライドする。挟持片２０の手前側端部は固定部２５において固定されているので、支点２２が搬入方向手前側へ移動すると挟持片２０が膨らんで端子接触部２１が下降する（図１中矢印Ｄ）。これにより、挟持片２０は雄タブ５０を箱部１１の底板１２の内壁１２ａ側に付勢し、第１および第２の雄タブ受け１５ａ、１５ｂとの間で挟持するとともに導通する。
【００２２】
以上、前述した雌端子１０によれば、帯状の雄タブ５０を雌端子１０の箱部１１に挿入する際には端子接触部２１が接触していないので低挿入力で容易に挿入できる。
そして、雄タブ５０で挟持片２０の作用部２３を押圧することにより、端子接触部２１と第１および第２の雄タブ受け１５ａ、１５ｂとの間で挟持するので、確実に挟持するとともに導通を行うことができる。また、簡易な構造により雌端子１０を作成できる。
【００２３】
なお、本発明の雌端子は、前述した実施形態に限定されるものでなく、適宜な変形，改良等が可能である。
例えば、前述した実施形態においては、誘導路として四分の一楕円形の切欠を採用したが、四分の一円形の切欠でもよい。また、支持部２４が移動可能な所定幅を有する楕円形あるいは円形の曲線状の切欠としてもよい。
また、挟持片２０の支点２２は、端子接触部２１が所定の移動および雄タブ５０に対する所定の押圧力が得られる場合には、必ずしも箱部１１の天板１３の内面１３ａに接触しなくてもよい。
【図面の簡単な説明】
【００２４】
【図１】本発明の実施形態にかかる雌端子を示す断面図である。
【図２】図１中II−II位置の断面図である。
【図３】図１中III方向から見た端面図である。
【図４】図３中IV−IV位置で切断した斜視図である。
【図５】（Ａ）〜（Ｃ）は、切欠における支持部の移動状態を示す説明図である。
【図６】雌端子の展開図である。
【図７】（Ａ）〜（Ｃ）は、雄タブを挟持する状態を示す説明図である。
【図８】従来の雌端子を示す断面図である。
【図９】（Ａ）および（Ｂ）は、図８の雌端子において雄タブを挿入したときの状態を示す断面図である。
【符号の説明】
【００２５】
１０  雌端子
１１  箱部
１２ａ  内壁
１６  切欠（誘導路）
１６ａ  弧面
２０  挟持片
２１  端子接触部
２２  支点
２３  作用部
２４  支持部
５０  雄タブ
【図１】
2005228555.tif 000003
【図２】
2005228555.tif 000004
【図３】
2005228555.tif 000005
【図４】
2005228555.tif 000006
【図５】
2005228555.tif 000007
【図６】
2005228555.tif 000008
【図７】
2005228555.tif 000009
【図８】
2005228555.tif 000010
【図９】
2005228555.tif 000011